(57)【要約】    【課題】  必要に応じてペット用着用体の内側に貼着して簡便に使用でき、しかも飼い主の経済的負担が少なく、資源の無駄、ゴミの発生等を極力防止できるようにする。【解決手段】  吸水性を有し且つ裏側が防水された本体部１２と、本体部１２の裏側に設けられ且つ本体部１２を着用体３の内側に着脱自在に貼着する粘着部１３と、粘着部１３を保護する剥離シート１４とを備え、本体部１２の後端側に、ペットが排泄した糞を後方へと排出するための排出口１５が、本体部１２を粘着部１３を介しておむつ等のペット用着用体に貼着したときのペットの肛門の後方側に対応して設けられており、着用体３の内側に貼付して、ペット２が排泄する尿等の吸収用として使用する。【選択図】    図１
0003107529.tif 000002
【実用新案登録請求の範囲】
【請求項１】
おむつ、パンツ等のペット（２）用の着用体（３）の内側に貼付して、ペット（２）が排泄する尿等の吸収用として使用するペット用ライナーであって、吸水性を有し且つ裏側が防水された本体部（１２）と、該本体部（１２）の裏側に設けられ且つ該本体部（１２）を前記着用体（３）の内側に着脱自在に貼着する粘着部（１３）と、前記粘着部（１３）を保護する剥離シート（１４）とを備え、前記本体部（１２）の後端側に、ペット（２）が排泄した糞を後方へと排出するための排出口（１５）が、前記本体部（１２）を前記粘着部（１３）を介して前記着用体（３）に貼着したときにペット（２）の肛門（１０）の後方側に対応するように設けられていることを特徴とするペット用ライナー。
【請求項２】
前記本体部（１２）は透水性を有する表シート（１６）と、非透水性を有する裏シート（１７）と、前記表シート（１６）及び前記裏シート（１７）間に介在された吸収体（１８）とを有し、全体として前後方向に長い縦長状であることを特徴とする請求項１に記載のペット用ライナー。
【請求項３】
前記排出口（１５）は、前記本体部（１２）の後端から前側へと凹入する切欠き部（２０）により構成されていることを特徴とする請求項１又は２に記載のペット用ライナー。
【請求項４】
前記切欠き部（２０）は、その後端側にペット（２）の尻尾（９）を通したときに肛門（１０）の後方を開放するように、その前内端縁が肛門（１０）よりも前側に位置する深さであることを特徴とする請求項３に記載のペット用ライナー。
【請求項５】
前記切欠き部（２０）は、肛門（１０）の後方側に対応する内部側がその後端側よりも広くなっていることを特徴とする請求項３又は４に記載のペット用ライナー。
【請求項６】
前記排出口（１５）は開口孔（２６）により構成され、該開口孔（２６）はその後端側にペット（２）の尻尾（９）を通したときに、内部側が肛門（１０）の後方を開放するように前後方向に長く形成されていることを特徴とする請求項１又は２に記載のペット用ライナー。
【請求項７】
前記本体部（１２）の後端部に、該後端部を左右に破断可能な破断部が前記開口孔（２６）から後端に跨がって設けられていることを特徴とする請求項６に記載のペット用ライナー。
【請求項８】
前記本体部（１２）は消臭性を有することを特徴とする請求項１〜７の何れかに記載のペット用ライナー。
【考案の詳細な説明】
【技術分野】
【０００１】
本考案は、ペット用おむつ、ペット用パンツ等のペット用着用体の内側に貼付して、ペットが排泄する尿等の吸収用として使用するペット用ライナーに関するものである。
【背景技術】
【０００２】
犬、猫等のペットに使用するペット用の着用体として、従来から尿等の吸収機能を備えた使い捨て式のペット用おむつが提案されている（特許文献１〜４）。このペット用おむつは、オープンタイプ、パンツタイプ等の何れの場合にも、透水性を有する不織布等のシート材と、非透水性を有するプラスチックフィルム等のシート材とが内外に設けられると共に、腹側の尿吸収部位の両シート材間に、パルプ繊維等の吸収材から成る吸収体、又はパルプ繊維等の吸収材に高分子吸収剤を混入して成る吸収体が介在されている。更に尻り側の尻尾、肛門に対応する部分には尻尾を通し、また糞を外部に排出するための開口が形成されている。
【特許文献１】特開平９−２９８９７１号公報
【特許文献２】特開２００３−８８２６２号公報
【特許文献３】特開２００４−１５９５９１号公報
【特許文献４】特開２００４−１９４５６６号公報
【考案の開示】
【考案が解決しようとする課題】
【０００３】
従来のペット用おむつは、ペットが排泄する尿等を吸収体により吸収でき、また糞は開口から外部へと排出できるため、ペットの飼い主にとっては非常に便利である。しかし、おむつ自体の一部である尿吸収部位の吸収体で尿等を直接吸い取るため、臭気等が発生しないように衛生的に保つには、尿吸収部位が若干ぬれる等の僅かな汚れでおむつを頻繁に交換する必要がある。従って、飼い主のおむつの購入に要する経済的な負担が大きくなるばかりでなく、資源を無駄に消費し、また膨大な量のゴミが発生する一因ともなる欠点がある。
【０００４】
本考案は、このような従来の課題に鑑み、必要に応じてペット用着用体の内側に貼着して簡便に使用でき、しかも飼い主の経済的負担が少なく、資源の無駄、ゴミの発生等を極力防止できるペット用ライナーを提供することを目的とする。
【課題を解決するための手段】
【０００５】
本考案は、おむつ、パンツ等のペット２用の着用体３の内側に貼付して、ペット２が排泄する尿等の吸収用として使用するペット用ライナーであって、吸水性を有し且つ裏側が防水された本体部１２と、該本体部１２の裏側に設けられ且つ該本体部１２を前記着用体３の内側に着脱自在に貼着する粘着部１３と、前記粘着部１３を保護する剥離シート１４とを備え、前記本体部１２の後端側に、ペット２が排泄した糞を後方へと排出するための排出口１５が、前記本体部１２を前記粘着部１３を介して前記着用体３に貼着したときにペット２の肛門１０の後方側に対応するように設けられている。
【０００６】
前記本体部１２は透水性を有する表シート１６と、非透水性を有する裏シート１７と、前記表シート１６及び前記裏シート１７間に介在された吸収体１８とを有し、全体として前後方向に長い縦長状である。
【０００７】
前記排出口１５は、前記本体部１２の後端から前側へと凹入する切欠き部２０により構成されることもある。前記切欠き部２０は、その後端側にペット２の尻尾９を通したときに肛門１０の後方を開放するように、その前内端縁が肛門１０よりも前側に位置する深さである。前記切欠き部２０は、肛門１０の後方側に対応する内部側がその後端側よりも広くなっている。
【０００８】
前記排出口１５は開口孔２６により構成され、該開口孔２６はその後端側にペット２の尻尾９を通したときに、内部側が肛門１０の後方を開放するように前後方向に長く形成されることもある。前記本体部１２の後端部に、該後端部を左右に破断可能な破断部が前記開口孔２６から後端に跨がって設けられている。前記本体部１２は消臭性を有することもある。
【考案の効果】
【０００９】
本考案では、ペット用の着用体３の内側に粘着部１３により本体部１２を着脱自在に貼着して使用でき、また使用状態で排出口１５を経て糞を外部に排出できる等、必要に応じて簡便に使用できる。また汚れた場合にはライナーを交換すれば良く、着用体３を交換又は廃棄する必要がないので、飼い主の経済的負担が少なく、資源の無駄、ゴミの発生等を極力防止できる。
【考案を実施するための最良の形態】
【００１０】
以下、本考案の実施例を図面に基づいて詳述する。図１〜図７は本考案の第１の実施例を示す。このペット用ライナー１は、図６、図７に示すようにペット２用の着用体、例えば使い捨て式のペット用おむつ３の内側に着脱自在に貼付して、ペット２が排泄する尿等の吸収用として使用するものである。
【００１１】
ペット用おむつ３は、例えば左右両側に脚挿入用の開口４が設けられたパンツタイプであって、腹当て部５と背当て部６とが尻当て部７を介して連結されると共に、腹当て部５と背当て部６とがウエスト部８で周方向に連結されている。そして、尻当て部７側に尻尾９及び肛門１０に対応して、尻尾９を通し且つ糞を排出するための開口１１が上下方向の長孔状に形成されている。
【００１２】
ペット用ライナー１は、図１〜図５に示すように、吸水性及び消臭性を有し且つ裏側が防水された本体部１２と、本体部１２の裏側に設けられ且つ本体部１２をおむつ３の内側に着脱自在に貼着する粘着部１３と、粘着部１３を保護する剥離シート１４とを備えている。
【００１３】
本体部１２の後端側には、その幅方向（左右方向）の略中央部に排出口１５が形成されている。排出口１５は粘着部１３を介して本体部１２をおむつ３に貼着したときにペット２の肛門１０の後方側に対応するように形成され、この排出口１５を経てペット２の尻尾９を後方の開口１１へと通し、またペット２が排泄した糞を後方の開口１１へと排出するようになっている。
【００１４】
本体部１２は図３〜図５に示すように、透水性を有する表シート１６と、非透水性を有する裏シート１７と、表シート１６及び裏シート１７間に介在された吸収体１８とを有し、全体として前後方向に長い略偏平な縦長帯状に形成されている。吸収体１８はパルプ繊維等の吸水性に優れた吸収材により構成され、その吸収材内に粒状、粉状その他の消臭剤が混入されている。なお、液体の消臭剤を使用して、それを吸収体１８又は本体部１２に含浸しても良い。
【００１５】
吸収体１８は、裏側の幅方向の略中央で両耳部１９ａが重なるように、プラスチック繊維製の不織布等から成る透水シート１９により包まれている。そして、この透水シート１９の表側が表シート１６となり、また裏側にプラスチックフィルム等の裏シート１７がホットメルト接着剤等により略全面に貼着されている。裏シート１７には排出口１５を挟む幅方向の両側に前後方向の筋状に粘着部１３が設けられ、この粘着部１３に離型処理された帯状の剥離シート１４が剥離自在に貼着されている。粘着部１３は裏シート１７に粘着剤を塗布して形成されている。なお、粘着部１３は長手方向の細い筋状に幅方向に多数本設けても良いし、略全体に分散するように点状に多数設けても良い。また略全面に隙間なく設けても良い。
【００１６】
排出口１５は、本体部１２の後端側から前側へと凹入する切欠き部２０により構成されている。切欠き部２０は、その後端側（開放端側）にペット２の尻尾９を通したときに肛門１０の後方を開放するように、その前内端縁が肛門１０よりも前側に位置する長さ（又は深さ）であって、ペット２の肛門１０の後方に対応する内部側が後端側よりも広くなっている。
【００１７】
本体部１２の表シート１６と裏シート１７は、前後方向の両端縁の端縁シール部２１，２２で透水シート１９の表裏を含んだ状態でシールされ、また切欠き部２０の内周縁でも、内部側の略半円状の内シール部２３と、後方の開放端側が徐々に狭くなるようにハの字状に延びて内シール部２３の両端と端縁シール部２１，２２とを結ぶ一対の左右シール部２４とで同様にシールされている。なお、剥離シート１４はその後端又は両端が粘着部１３よりも長くなっており、その端部が剥離時のつまみ部１４ａとなっている。
【００１８】
このライナー１は次のように使用する。使用に際しては、先ず粘着部１３の剥離シート１４を剥がし、その粘着部１３を介して本体部１２の裏側をおむつ３の内側の所定位置に貼着する。
【００１９】
この場合、本体部１２の切欠き部２０の前内端縁がおむつ３の開口１１の下端縁に略一致するように切欠き部２０と開口１１部とを合わせて、本体部１２の他端側が開口１１からおむつ３の腹当て部５側へと前側に延びるように尻当て部７と腹当て部５とに跨がって前後方向に貼着する。なお、ライナー１の貼着位置は、ペット２の大きさ、おむつ３の開口１１の位置、大小等に応じて適宜調整すれば良い。
【００２０】
ライナー１を貼着した後、おむつ３をペット２に着用する。この場合、ペット２の尻尾９を切欠き部２０の開放端側を経て開口１１へと通すと共に、肛門１０の後方を塞がないように切欠き部２０の内部側を肛門１０に合わせる。
【００２１】
このような状態でおむつ３を着用しておけば、ペット２が排泄する尿はライナー１の吸収体１８で吸収でき、尿によるおむつ３の汚れを極力少なくできる。また糞は切欠き部２０、開口１１を経て外部へと排出できる。尿等でライナー１が汚れた場合には、ライナー１のみを交換して、おむつ３は再度使用する。
【００２２】
ライナー１はその裏側の粘着部１３を介して本体部１２をおむつ３の内側に着脱自在に貼着するため、その貼着、離脱が非常に容易であり、簡便に使用できる。また尿等で汚れた場合には、ライナー１のみを交換すれば良く、おむつ３は再度使用できる。従って、汚れる度におむつ３を廃棄していた従来に比較して、ペット２の飼い主の経済的な負担を軽減できると共に、資源の無駄、ゴミの発生等を極力防止できる。
【００２３】
しかも本体部１２の長手方向の後端側に、切欠き部２０により構成された排出口１５があり、その切欠き部２０を開口１１に合わせておむつ３の内側に貼着すれば良い。このため尻尾９を開口１１に通し、また糞を開口１１から外部へと排出できるにも拘わらず、本体部１２の後端側がおむつ３の尻当て部７側に位置するように、ライナー１を十分後方側に寄せて貼着できる。従って、ライナー１の貼着位置が多少前後にずれたとしても、本体部１２により尿を確実に吸収することが可能である。
【００２４】
図８、図９は本考案の第２の実施例を例示する。このライナー１は、切欠き部２０の前端縁よりも前側に吸収体１８が設けられており、切欠き部２０の左右両側は吸収体１８がなく本体部１２が薄くなっている。
【００２５】
第１の実施例のライナー１の場合には、切欠き部２０の両側にも吸収体１８があるため、その製造課程において、切欠き部２０用の凹部ができるようにシート状の素材から吸収体１８を切り取り、その吸収体１８を透水シート１９で包み込む必要があり、作業が煩雑になる。しかし、このように切欠き部２０よりも前側に吸収体１８を設ける場合には、吸収体１８の外形状、特に後端縁１８ａの形状を単純化でき、製造時の作業能率が著しく向上する。また尿を吸収する上でも、特に問題もない。なお、吸収体１８は、切欠き部２０よりも前側で幅方向の中央部分に局部的に設けても良い。
【００２６】
図１０は本考案の第３の実施例を例示する。排出口１５を構成する切欠き部２０は、この図１０の（Ａ）〜（Ｄ）に示すような形状、深さにしても良い。（Ａ）の切欠き部２０は、幅方向に略真っ直ぐな内シール部２３と、この内シール部２３の両端からハの字状に後方に延びる一対の左右シール部２４とを備え、内部側が広く開放端側が狭くなる角形状になっている。（Ｂ）の切欠き部２０は、幅方向に略真っ直ぐな内シール部２３と、この内シール部２３の両端から後方に略平行に延びる一対の左右シール部２４とを備え、左右幅が前後とも略同幅の角形状になっている。（Ｃ）の切欠き部２０は、半円状の内シール部２３と、この内シール部２３の両端から後方に略平行に延びる一対の左右シール部２４とを備え、シール部２３，２４がＵ字状になっている。（Ｄ）の切欠き部２０は、ペット２の肛門１０の後方を開放し、尻尾９が入らない程度の深さになっている。
【００２７】
図１１は本考案の第４の実施例を例示する。排出口１５は図１１の（Ａ）〜（Ｄ）に示すように、周方向のシール部２５の内側に形成された開口孔２６により構成しても良い。即ち、この（Ａ）〜（Ｄ）の開口孔２６は、本体部１２の後端側でその端縁シール部２１よりも前側に、長手方向が前後方向となるように形成されている。そして、（Ａ）の開口孔２６は長孔状、取り分け長円状であり、（Ｂ）の開口孔２６は楕円状である。また（Ｃ）の開口孔２６は後側が小さく前側が大きくなるおむすび状、扇形状又は三角形状であり、（Ｄ）の開口孔２６は後側が小さく前側が大きくなる鍵穴状又はダルマ孔状である。
【００２８】
このように開口孔２６により排出口１５を形成して、その開口孔２６の後部側にペット２の尻尾９を通した場合に、その前部側が肛門１０の後方を開放するようにしても良い。なお、開口孔２６は真円状でも良い。
【００２９】
図１２、図１３は本考案の第５の実施例を例示する。このペット用ライナー１は、図１２に示すように本体部１２の開口孔２６の後側の幅方向の中央部分に、その開口孔２６から後端に跨がってミシン目、ハーフカット等の破断部２７が設けられており、必要に応じて破断部２７を左右に破断することにより、開口孔２６の後側を開放できるようになっている。
【００３０】
開口孔２６内に尻尾９及び肛門１０が収まるペット２に対しては、そのままで使用する。また破断部２７で本体部１２の後端部を左右に破断して、その各破断片２８を図１３に示すように左右に折る等によって開口孔２６の後方側を開放できる。従って、尻尾９及び肛門１０が開口孔２６内に収まらないような大型犬の場合でも、このようにすることによってその使用が可能となり、ライナー１の汎用性が向上する。
【００３１】
図１４は本考案の第６の実施例を例示する。剥離シート１４は、図１４に示すように粘着部１３が筋状等の場合でも、本体部１２に対応する形状、大きさの１枚で各粘着部１３を保護しても良い。
【００３２】
以上、本考案の実施例について詳述したが、本考案はこの実施例に限定されるものではない。例えば、本体部１２は透水シート１９で吸収体１８を包むようにしているが、表シート１６と裏シート１７との間に吸収体１８が介在された構造であれば良い。また透水シート１９で吸収体１８を包む場合に、本体部１２の裏側で透水シート１９に防水性接着剤等を塗布して防水することにより裏シート１７を形成することも可能である。
【００３３】
本体部１２の形状は前後方向に長い帯状とし、その前後両端の端縁シール部２１，２２を円弧状に形成しているが、端縁シール部２１，２２を真っ直ぐにする等、他の形状でも良い。また表シート１６と裏シート１７は、幅方向の両側でシールするようにしても良い。排出口１５の周縁のシール部２３〜２５は、本体部１２の他の部分のシール部２１，２２と同程度の幅でも良い。吸収体１８には吸収材に高分子吸収剤を混入しても良い。
【００３４】
ライナー１を貼着する着用体は、ペット２用であれば使い捨て式のおむつ３以外のもの、例えば布製のパンツ等でも良い。またその着用体は、尻尾９、糞を外側に取り出せるものであって、ライナー１を内側に貼着できるものであれば十分であり、それ自体に尻尾９用、排便用の開口１１等のないものでも良い。
【図面の簡単な説明】
【００３５】
【図１】本考案の第１の実施例を示す一部剥離状態のペット用ライナーの斜視図である。
【図２】本考案の第１の実施例を示すペット用ライナーの底面図である。
【図３】図２のａ−ａ線断面図である。
【図４】図３のｂ−ｂ線断面図である。
【図５】図３のｃ−ｃ線断面図である。
【図６】本考案の第１の実施例を示す着用状態の説明図である。
【図７】本考案の第１の実施例を示すライナーが貼着された着用体の斜視図である。
【図８】本考案の第２の実施例を示すペット用ライナーの底面図である。
【図９】図８のｄ−ｄ線断面図である。
【図１０】本考案の第３の実施例を示すペット用ライナーの底面図である。
【図１１】本考案の第４の実施例を示すペット用ライナーの底面図である。
【図１２】本考案の第５の実施例を示すペット用ライナーの底面図である。
【図１３】本考案の第５の実施例を示す切り裂き状態の底面図である。
【図１４】本考案の第６の実施例を示す一部剥離状態の底面図である。
【符号の説明】
【００３６】
２  ペット
３  着用体（ペット用おむつ）
９  尻尾
１０  肛門
１２  本体部
１３  粘着部
１４  剥離シート
１５  排出口
１６  表シート
１７  裏シート
１８  吸収体
２０  切欠き部
２６  開口孔
【図１】
0003107529.tif 000003
【図２】
0003107529.tif 000004
【図３】
0003107529.tif 000005
【図４】
0003107529.tif 000006
【図５】
0003107529.tif 000007
【図６】
0003107529.tif 000008
【図７】
0003107529.tif 000009
【図８】
0003107529.tif 000010
【図９】
0003107529.tif 000011
【図１０】
0003107529.tif 000012
【図１１】
0003107529.tif 000013
【図１２】
0003107529.tif 000014
【図１３】
0003107529.tif 000015
【図１４】
0003107529.tif 000016